(57)【要約】【課題】既存の手帳類の本体と背との間隙に挿入可能なフックを有する、手帳類への挿入用ボードを提案する。【解決手段】手帳類の隣接する頁の間に挿入するための基板を含み、この基板の左右方向の側辺の一方である垂直な基辺の上端部から、手帳類の綴じ代側に引っ掛けるためのフックを突設してなり、全体として板形状に形成された、手帳類挿入用のボードであって、  上記フック６は、上記基辺４の上端部から水平方向へ延びる突起８と、この突起８の先部8bの下端全体から垂下した、手帳類の本体と背との間の隙間に入れるための軸部10とからなる。上記基辺４からのフック６の突出長さをＤとし、かつ突起８からの軸部10の垂下長さをＬとすると、Ｄ≧Ｌが成立し、上記フックの突出長さのうち突起８の先部の水平巾をｄ２、先部8bと基辺４との間の突起８の基部8aの水平巾をｄ１とすると、ｄ１≦ｄ２が成立する。【選択図】図１
2013132821.tif 000002
【特許請求の範囲】
【請求項１】
手帳類の隣接する頁の間に挿入するための基板を含み、この基板の左右方向の側辺の一方である垂直な基辺の上端部から、手帳類の綴じ代側に引っ掛けるためのフックを突設してなり、全体として板形状に形成された、手帳類挿入用のボードであって、
上記フック(６)は、上記基辺(４)の上端部から水平方向へ延びる突起(８)と、この突起(８)の先部(8b)の下端全体から垂下した、手帳類の本体と背との間の隙間に入れるための軸部(10とからなり、
上記基辺(４)からのフック(６)の突出長さを(Ｄ)とし、かつ突起(８)からの軸部(10)の垂下長さを(Ｌ)とすると、Ｄ≧Ｌが成立し、
上記フックの突出長さのうち突起(８)の先部の水平巾を(ｄ２)、先部(8b)と基辺(４)との間の突起(８)の基部(8a)の水平巾を(ｄ１)とすると、ｄ１≦ｄ２が成立することを特徴とする、手帳類挿入用ボード。
【請求項２】
上記軸部(10)は、上記基辺(４)との対向辺側から軸部(10)の下辺に亘って傾斜する傾斜部(12)を有し、下側へ先細となるようにしたことを特徴とする、請求項１記載の手帳類挿入用ボード。
【発明の詳細な説明】
【技術分野】
【０００１】
本発明は、手帳類挿入用ボード、特に付箋貼付部を有する手帳類挿入用ボードに関する。ここで手帳類とは、手帳・ノートブック・本をいう。
【背景技術】
【０００２】
手帳類には各種目的で頁と頁の間に挟み込まれるボードが用いられる。例えば縦長長方形の付箋貼付用台紙の長辺一側に複数のバインダー穴を開口してバインダー形式のシステム手帳に綴じ込んだものが知られている（特許文献１）。
【０００３】
またボードに代えて、付箋積層体入りの袋体も提案されている。この袋体は、縦長長方形状であって、その袋体の長辺側にバインダーに綴じ込むための複数のバインダー穴を開口するとともに、袋体の表側に縦長の付箋取出し口を開口している。付箋積層体は、左右方向に長い長方形の付箋の積層物である。各付箋は長手方向の第1端部及び第２端部のうち第１端部のみに剥離可能な粘着層を有し、各付箋の第１端部がすぐ下の付箋の第２端部に重なるように、言い換えれば粘着箇所が一枚ごとに互い違いになるように積層されている（特許文献２）。以下、このタイプの付箋積層体をポップアップ式付箋積層体という。
【０００４】
さらに本の特定の頁を示すブックマーク機能を有するものとして、本願の図７に示すように、縦長長方形の基板の一方の長辺の上端部から短い矩形のフック100を突出するとともに、他方の長辺の上端部から水平方向に延びるアーム102を設け、このアームの先部から爪部103を介して下方に突設したものが知られている（特許文献３）。これを使用するときには、上記フックの下端側の段部101を、複数の頁を束ねている本の綴り箇所（綴り代という）に引っ掛けるようにして本に挿入する。例えば読書の途中で読みかけの頁を表示したいときに当該頁とその隣りの頁との間に上記爪部を挟むようにすればよい。
【先行技術文献】
【特許文献】
【０００５】
【特許文献１】特開２００６−１８８０３１
【特許文献２】特表平１０−５０２３２２
【特許文献１】特開２０１１−１４８１２８
【発明の概要】
【発明が解決しようとする課題】
【０００６】
上記特許文献１〜２の製品の場合には、手帳類の本体側にバインダー式の綴じ具がなければ使用できない。このため使い勝手が必ずしもよくない。特に手帳やノートブックは利用者ごとに好みの形式があるので、例えば既に使用中のものに当該ボードを差し込んで使用できることが望まれている。
【０００７】
特許文献３のものは基板の長辺上端部から水平方向へフックを突出し、その下側の段部に手帳類の綴り箇所を引っ掛けるだけなので、引っ掛ける力が十分ではなく、場合によっては手帳類から脱落する可能性がある。
【０００８】
本出願人は、こうした事情を考慮し、手帳類の本体と背との間に空隙（図４（Ａ）に示すＧ）が存することに着目して、この間隙内にフックを挿入させることを着想した。しかしこの着想を実現させるためには、フック付基板を如何なる形態とするかということが考えなければならない。例えばフック機能を十分に発揮させるためには、例えば図６に示すようにボード105の基辺に沿ってフック106を長く伸長させたものがよいように思われる。ところが実際にこれを試作して同図に２点鎖線で示す手帳類107に使ってみると、フックに損傷を生じやすいことが判った。なお、同図中で108は手帳類の本体と背との間隙である。このような不具合を称する理由は、材料である板材を打ち抜いてフック付きの基板としたため、フックの部分の強度が不足し、基辺に対してやや斜めにフックを引き抜いたときに当該フックに無理な力が加わるためと考えられる。
【０００９】
本発明の第１の目的は、既存の手帳類の本体と背との間隙に挿入可能なフックを有する、手帳類への挿入用ボードを提案することである。
本発明の第２の目的は、上記手帳類への挿入用ボードであって、手帳類から脱落しにくいようにフックの部分を形成したものを提案することである。
本発明の第３の目的は、上記手帳類への挿入用ボードであって、フックの部分がこわれにくいように形成したものを提案することである。
本発明の第４の目的は、上記手帳類への挿入用ボードであって、フックの先端部分を回転軸として、ページをめくる如く当該基板を回動することができ、かつ着脱が容易に形成したものを提案することである。
【課題を解決するための手段】
【００１０】
第１の手段は、手帳類の隣接する頁の間に挿入するための基板を含み、この基板の左右方向の側辺の一方である垂直な基辺の上端部から、手帳類の綴じ代側に引っ掛けるためのフックを突設してなり、全体として板形状に形成された、手帳類挿入用のボードであって、
上記フック６は、上記基辺４の上端部から水平方向へ延びる突起８と、この突起８の先部8bの下端全体から垂下した、手帳類の本体と背との間の隙間に入れるための軸部10とからなり、
上記基辺４からのフック６の突出長さをＤとし、かつ突起８からの軸部10の垂下長さをＬとすると、Ｄ≧Ｌが成立し、
上記フックの突出長さのうち突起８の先部の水平巾をｄ２、先部8bと基辺４との間の突起８の基部8aの水平巾をｄ１とすると、ｄ１≦ｄ２が成立することを特徴とする。
【００１１】
本手段では、手帳類への挿入用の基板２の基辺４上端部にフック６を付設した構造において、当該フック６を手帳類の本体と背との間の間隙Ｇ内に入れるのに適した形態を提案している（図１参照）。このフック６は基板２の基辺４上端部から水平方向に突出する突起８と、この突起８の先部8b下端全体から垂下する軸部10とで形成する。この軸部10は、上記間隙Ｇ内に挿入される部分であって、間隙への係合部であるとともにボードを左又は右方へ展開するときの回転軸となる部分である。本手段の構成中で重要なことは次の通りである。第１に、上記突起８の基部8aの水平巾ｄ１が先部8bの水平巾ｄ２以下であることである。仮に図７に示す特許文献３のアーム102の如く爪部103に連続する先部8bに比べて基部8aが長い構成を本発明に適用すると、上記間隙Ｇに軸部10を挿入させた状態で、基板２の基辺４が手帳類の各頁の根元部分（以下「のど」という）から離れてしまい、脱落してしまうおそれがあるので都合が悪い。第２に、軸部10の垂下長Ｌをフック６の突出長Ｄ以下としている。軸部10が長いと上記間隙Ｇ内に対する抜き差しが面倒でありかつ損傷を生じ易いからである。
【００１２】
第２の手段は、第１の手段を有し、かつ
上記軸部10は、上記基辺４との対向辺側から軸部10の下辺に亘って傾斜する傾斜部12を有し、下側へ先細となるようにした。
【００１３】
上記傾斜部12を設けることで手帳類Ａの本体Ｂと背Ｃａとの間隙Ｇへの挿入作業が容易となり、かつ軸部10が下側先細なので、軸部10を中心として基板２を回転させ易い。
【発明の効果】
【００１４】
第１の手段に係る発明によれば、軸部10の垂下長Ｌがフック６の突出長Ｄより小さいから軸部10が損傷しにくく、突起８の基部8aの水平巾ｄ２が先部8bの水平巾ｄ１以下だから、上記フック６の軸部10を、手帳類の本体と背との間の間隙Ｇに入れ易い。
第２の手段に係る発明によれば、軸部10に傾斜部12を設けることで手帳類Ａの本体Ｂと背Ｃａとの間隙Ｇへの挿入作業が容易となり、かつ軸部10が下側先細なので、軸部10を中心として基板２を回転させ易い。
【図面の簡単な説明】
【００１５】
【図１】本発明の第１実施形態に係る手帳類挿入用ボードの正面図である。
【図２】図１のボードの要部拡大図である。
【図３】図１のボードの側面図である。
【図４】図１のボードの作用説明図であり、同図（Ａ）は手帳類を閉じた状態を、同図（Ｂ）は手帳類を開いた状態を示すものである。
【図５】図１のボードのフックの傾斜部の作用を説明する図である。
【図６】本願発明との対比例を示す図である。
【図７】従来技術の正面図である。
【発明を実施するための最良の形態】
【００１６】
図１〜図５は、本発明の第１実施形態に係る手帳類挿入用ボードを示す。
【００１７】
説明の都合上から、まず本発明のボードを適用する手帳類Ａの構造を簡単に解説する。一般的な手帳や本は、図４（Ａ）の如く紙の束である本体Ｂと、カバーＣとで構成される。本体Ｂのうち紙の束の根元側は適当な方法で綴るとともにライナーで覆っており、この範囲を本願明細書では綴り代Ｂａと称する。カバーＣは、表表紙と裏表紙と背Ｃaとで構成されている。製本の一方法として、表表紙及び裏表紙とを本体Ｂの両側に連結する方法があり、この場合には本体Ｂと背Ｃaとの間に間隙Ｇが形成される。本願発明はこの間隙Ｇ内に後述のフックを係止するものである。
【００１８】
本発明のボードは、図１に示す如く、手帳類の頁間に挟むための基板２と、フック６とで構成される。このボードの材質は、硬質の厚紙や合成樹脂などとすることができる。またボードの製法としては、一枚の板材を打ち抜くことで一体に成形することが好適である。これ以外には、合成樹脂の場合には例えば型成形することも可能であるが、金型の製作にコストを要する。
【００１９】
上記基板２は、その左右方向の一方側に垂直な基辺４を有し、この基辺４を手帳類Ａののど部Ｎに当接させた状態で基板２上端のフック６を係止させることで、ボード全体を安定的に支えることが可能に構成している。図示の基板２は縦長の長方形であり、その長辺の一方を基辺４としているが、一方側部に垂直な基辺４を有する限り、どのような形でも構わない。
【００２０】
上記基板２の用途は限定されるものではないが、好適な例として下敷き又は付箋貼付台に用いることができる。付箋貼付台に用いる場合には、無地の基板２の好きな場所に付箋を貼付してもよい。また基板２の一部に付箋貼付欄２ａを印刷により形成し、残りの箇所には、カレンダー・地図など日常生活に役に立つ情報を予め印刷してもよい。
【００２１】
上記フック６は、上記基辺４の上端部に設けられている。このフック６は、基辺４の上端部から水平方向へ突き出た後に下方へ延長した形状をしている。本明細書では、説明の都合上、フック６を、基辺４の上端部から水平方向に突出する突起８と、この突起の先部８ｂの下端から垂下する軸部10とに分けて説明する。
【００２２】
上記突起８は、基辺４の上端部から水平方向へ突出する矩形の凸部である。この突起８は図２に示すように基部８ａと先部８ｂとからなり、この先部８ｂから軸部10を垂下している。
【００２３】
この突起８の突出代Ｄは、手帳類Ａの綴り代の厚みと間隙Ｇのサイズとの和を超えないように設計する。この和を超えると、図４（Ａ）に示すように手帳類ののど部Ｎに基板２の基板４を接する状態でフック６を上記間隙Ｇ内に入らないようになるからである。一般的な手帳類の場合には５ｍｍ程度とすれば足りる。
【００２４】
またこの突出代Ｄのうち基部８aの水平巾をｄ１、先部８ｂの水平巾をｄ２とすると、次式を満たすように設計する。
［数式１］ｄ１≦ｄ２
【００２５】
この式の技術的な意味は次の通りである。まず先部８ｂの水平巾ｄ２は、軸部10の上端側の巾に対応しており、上記間隙Ｇのサイズより小さくかつフックの機能を確保できる程度に大きくなければならない。こうした要因から巾ｄ２はおおよそ決まる。他方、基部８aの水平巾ｄ１はｄ２に比べて自由度が大きいが、ｄ１が大きすぎると、不都合を生ずる。例えば軸部10を手帳類の間隙Ｇに嵌めたときに、基板２の基辺４と手帳類ののど部Ｎとの間に隙間が生じて、体裁が悪くかつ使い勝手もよくない。背Ｃaを縦方向に向けた状態で手帳類を開いたときに、手帳類に対してボードが係止している様子が不安定に見えるし、隙間の大きさ次第ではボードが手帳類から脱落してしまう可能性もある。そこで本願発明ではｄ１の大きさをｄ２以下とした。
【００２６】
また上記突起８の上下巾は、ボードの素材の強度を考慮して、フックの剛性を確保できる程度の大きさとする。
【００２７】
上記軸部10は、上記突起８の先部８ｂの下端と一体的に連続しており、その下端全体から垂下している。
【００２８】
本願発明では、軸部10の垂下長さをＬ、突起８の突出長をＤとすると次式が成立するようにしている。
［数式２］Ｌ≦Ｄ
【００２９】
図示例ではＬ：Ｄ＝３：４程度としているが、上記の式の範囲でＬを適宜変更することができる。軸部10の垂下長さＬを制限している理由は、前述の通り軸部10が破損しないようにするためである。本願図６のようにフックの軸部相当部分を長くすると、ボードのうち基辺から離れた部分を摘まんで引き上げると、ボードはフックの上端側を支点として回転しようとし、他方、手帳類の本体と背との間隙Ｇ内に挿入された軸部相当部分は回転できないので、この部分に大きな応力が作用する。ボードは板材を打ち抜いて形成しているので、フックの強度を大きくすることには限界があるので、上記軸部相当部分が破損してしまう可能性がある。
【００３０】
さらに本実施形態では、軸部10の基辺に対応する側から下辺に亘って下外方へ向かう傾斜部12を設けている。このようにすることで図５に示すように基板２の基辺４と反対側が引き上げられても、軸部と手帳類の本体との間に回転余裕が確保されるので破損しにくい。
【符号の説明】
【００３１】
２…基板  ２ａ…付箋貼付欄  ４…基辺  ６…フック
８…突起  ８ａ…基部  ８ｂ…先部
10…軸部  12…傾斜部
Ａ…手帳類  Ｂ…本体  Ｂa…綴り代  Ｃ…カバー  Ｃa…背  Ｇ…間隙  Ｎ…のど部
【図１】
2013132821.tif 000003
【図２】
2013132821.tif 000004
【図３】
2013132821.tif 000005
【図４】
2013132821.tif 000006
【図５】
2013132821.tif 000007
【図６】
2013132821.tif 000008
【図７】
2013132821.tif 000009